(57)【要約】【課題】本発明は、編集効率を格段と向上し得る編集装置及び編集方法を実現するものである。【解決手段】編集内容を規定した編集リストに従って編集処理を実行する編集装置において、編集内容を形成する被編集素材を表す映像データを、高解像度及び低解像度の画像フォーマットでそれぞれ保持する第１及び第２のデータ保持手段と、編集素材を表す映像データを、外部操作に応じて、高解像度又は低解像度の画像フォーマットのいずれかに選択する選択手段と、編集リストの作成時に被編集素材が指定されたとき、選択手段により選択された高解像度又は低解像度の画像フォーマットで映像データを再生させる再生手段とを設けるようにした。【選択図】        図９
2005006231.tif 000002
【特許請求の範囲】
【請求項１】
編集内容を規定した編集リストに従って編集処理を実行する編集装置において、
上記編集内容を形成する被編集素材を表す映像データを、高解像度及び低解像度の画像フォーマットでそれぞれ保持する第１及び第２のデータ保持手段と、
上記編集素材を表す映像データを、外部操作に応じて、上記高解像度又は上記低解像度の画像フォーマットのいずれかに選択する選択手段と、
上記編集リストの作成時に上記被編集素材が指定されたとき、上記選択手段により選択された上記高解像度又は上記低解像度の画像フォーマットで上記映像データを再生させる再生手段と
を具えることを特徴とする編集装置。
【請求項２】
編集内容を規定した編集リストに従って編集処理を実行する編集方法において、
上記編集内容を形成する被編集素材を表す映像データを、高解像度及び低解像度の画像フォーマットでそれぞれ保持する第１のステップと、
上記編集素材を表す映像データを、外部操作に応じて、上記高解像度又は上記低解像度の画像フォーマットのいずれかに選択する第２のステップと、
上記編集リストの作成時に上記被編集素材が指定されたとき、上記選択された上記高解像度又は上記低解像度の画像フォーマットで上記映像データを再生させる第３のステップと
を具えることを特徴とする編集方法。
【発明の詳細な説明】
【０００１】
【発明の属する技術分野】
本発明は、編集装置及び編集方法に関し、例えばテレビジョン放送局で用いるオンエアーシステムに適用して好適なものである。
【０００２】
【従来の技術】
従来、オンエアーシステムにおいては、取材等により得られた映像音声を編集装置を用いて所望状態に加工編集し、得られた編集された映像音声（以下、これを編集映像音声と呼ぶ）を放送用のクリップ（映像音声素材）としてサーバに登録することができ、このサーバに登録したクリップを所定のタイミングで読み出して放送することができるようになされている。
（例えば、特許文献１参照）。
【０００３】
【特許文献１】
特開２００１−２３８１９３公報（第２２頁〜第２２頁、図１）
【０００４】
【発明が解決しようとする課題】
ところで、オペレータが編集リストを作成する際、指定したクリップの映像音声データを再生する場合がある。通常、クリップの映像音声データは、映像加工に必要な解像度を確保すべく、高解像度フォーマットに基づくものが該当するサーバから転送されることにより用いられる。
【０００５】
かかるクリップを高解像度フォーマットに基づく映像音声データで再生させる際に、当該クリップの前後両端の映像であれば比較的短時間でサーバから転送させて再生可能である。
【０００６】
ところが、クリップの長さが例えば約１０分以上のものであって、その中央部分の映像をオペレータが指定して高解像度フォーマットに基づく映像音声データで再生させる場合には、データ量が多い分だけサーバからの転送時間がかかり、オペレータの待ち時間がかかり過ぎるという問題があった。
【０００７】
実際上、編集リスト作成時にクリップの映像音声を再生させるにあたって、映像加工品質を必要としない単なるオペレータの目視確認のためであれば、クリップの映像音声データは低解像度フォーマットであっても構わないと考えられる。
【０００８】
本発明は以上の点を考慮してなされたもので、編集効率を格段と向上し得る編集装置及び編集方法を提案しようとするものである。
【０００９】
【課題を解決するための手段】
かかる課題を解決するため本発明においては、編集内容を規定した編集リストに従って編集処理を実行する編集装置において、編集内容を形成する被編集素材を表す映像データを、高解像度及び低解像度の画像フォーマットでそれぞれ保持する第１及び第２のデータ保持手段と、編集素材を表す映像データを、外部操作に応じて、高解像度又は低解像度の画像フォーマットのいずれかに選択する選択手段と、編集リストの作成時に被編集素材が指定されたとき、選択手段により選択された高解像度又は低解像度の画像フォーマットで映像データを再生させる再生手段とを設けるようにした。
【００１０】
この結果この編集装置では、低解像度の画像フォーマットが選択されたときには、被編集素材の全体等を目視確認する場合や単にカット編集する場合等には、瞬時に映像音声データを第２のデータ保持手段から読み出すことができる分、編集作業にかかる時間を短縮することができる一方、高解像度の画像フォーマットが選択されたときには、映像加工に必要な解像度が確保されているため、指定した被編集素材に対して種々の特殊効果処理を施すことができ、かくしてオペレータの選択により映像品質と編集時間との調和を図りながら効率よく編集作業を行うことができる。
【００１１】
また本発明においては、編集内容を規定した編集リストに従って編集処理を実行する編集方法において、編集内容を形成する被編集素材を表す映像データを、高解像度及び低解像度の画像フォーマットでそれぞれ保持する第１のステップと、編集素材を表す映像データを、外部操作に応じて、高解像度又は低解像度の画像フォーマットのいずれかに選択する第２のステップと、編集リストの作成時に被編集素材が指定されたとき、選択された高解像度又は低解像度の画像フォーマットで映像データを再生させる第３のステップとを設けるようにした。
【００１２】
この結果この編集方法では、低解像度の画像フォーマットが選択されたときには、被編集素材の全体等を目視確認する場合や単にカット編集する場合等には、瞬時に映像音声データを読み出すことができる分、編集作業にかかる時間を短縮することができる一方、高解像度の画像フォーマットが選択されたときには、映像加工に必要な解像度が確保されているため、指定した被編集素材に対して種々の特殊効果処理を施すことができ、かくしてオペレータの選択により映像品質と編集時間との調和を図りながら効率よく編集作業を行うことができる。
【００１３】
【発明の実施の形態】
以下図面について、本願発明の一実施の形態について説明する。
【００１４】
（１）本実施の形態によるオンエアーシステムの構成
図１において、１は全体としてテレビジョン放送局等に設置される本実施の形態によるオンエアーシステムを示し、取材現場から衛星通信回線等を介して転送され、又は図示しないビデオテープレコーダにより取材テープから再生された１４０〔Ｍｂｐｓ〕程度の解像度を有するＨＤＣＡＭフォーマット（ソニー株式会社  登録商標）の映像音声データ（以下、これを高解像度映像音声データと呼ぶ）Ｄ１をルータ２を介して素材サーバ３及びダウンコンバータ４に入力する。
【００１５】
素材サーバ３は、複数のＲＡＩＤ（Ｒｅｄｕｎｄａｎｔ  Ａｒｒａｙｓ  ｏｆ  Ｉｎｄｅｐｅｎｄｅｎｔ  Ｄｉｓｋｓ）から構成される記録再生部を有する大容量のＡＶ（Ａｕｄｉｏ  Ｖｉｄｅｏ）サーバでなり、システム制御部５の制御のもとに、ルータ２を介して供給される一連の高解像度映像音声データＤ１をファイル化して記憶する。
【００１６】
またダウンコンバータ４は、供給される高解像度映像音声データＤ１を８〔Ｍｂｐｓ〕程度の解像度にダウンコンバートすると共に、これをＭＰＥＧ（Ｍｏｔｉｏｎ  Ｐｉｃｔｕｒｅ  Ｅｘｐｅｒｔｓ  Ｇｒｏｕｐ）フォーマットで圧縮符号化し、かくして得られた低解像度の映像音声データ（以下、これを低解像度映像音声データと呼ぶ）Ｄ２をプロキシサーバ６に送出する。
【００１７】
プロキシサーバ６は、素材サーバ３と同様に、複数のＲＡＩＤから構成される記録再生部を有するＡＶサーバでなり、システム制御部５の制御のもとに、ダウンコンバータ４から供給される一連の低解像度映像音声データＤ２をファイル化して記憶する。
【００１８】
このようにしてこのオンエアーシステム１では、素材サーバ３に収録した映像音声素材（以下、これをクリップと呼ぶ）と同じ内容の低解像度のクリップをプロキシサーバ６に収録する。
【００１９】
そしてこのプロキシサーバ６に格納された各クリップの低解像度映像音声データＤ２は、イーサネット（登録商標）７を介してプロキシサーバ６と接続された各プロキシ編集端末装置８１〜８ｎ及び各編集端末装置９１〜９ｎをそれぞれ用いて読み出すことができ、これを利用して素材サーバ３に蓄積されたクリップの中からどのクリップとどのクリップとをどのように繋げてどのように加工編集された映像音声（以下、これを編集映像音声と呼ぶ）を生成するかといった編集内容を規定したリスト（以下、これをＶＦＬ（Ｖｉｒｔｕａｌ  Ｆｉｌｅ  Ｌｉｓｔ）と呼ぶ）をプロキシ編集端末装置８１〜８ｎや各編集端末装置９１〜９ｎにおいて作成することができる。
【００２０】
実際上、プロキシ編集端末装置８１〜８ｎは、専用のソフトウェアが起動されたＶＦＬ作成モード時、オペレータによりプロキシサーバ６に収録されているクリップの中から１つのクリップが選択されてその再生命令が入力されると、イーサネット（登録商標）７を介してシステム制御部５にアクセスし、当該システム制御部５を介してプロキシサーバ６を制御することにより、当該プロキシサーバ６にそのクリップの低解像度映像音声データＤ２を順次読み出させる。
【００２１】
またプロキシ編集端末装置８１〜８ｎは、このようにしてプロキシサーバ６から読み出された低解像度映像音声データＤ２を復号化し、得られたベースバンドの映像音声データに基づく映像をディスプレイに表示する。これによりオペレータがこのディスプレイに表示された映像を目視確認しながらカット編集のみのＶＦＬを作成することができる。
【００２２】
さらにこのようにして作成されたＶＦＬのデータ（以下、これを単にＶＦＬデータと呼ぶ）は、オペレータの操作によりそのプロキシ編集端末装置８１〜８ｎからイーサネット（登録商標）７を介してプロジェクトファイル管理端末装置１０に転送することができる。そしてこの転送されたＶＦＬデータは、この後このプロジェクトファイル管理端末装置１０によって記憶管理される。
【００２３】
一方、編集端末装置９１〜９ｎは、素材サーバ３に収録された高解像度映像音声データＤ１に対して映像特殊効果処理をリアルタイムで施し得るビデオボードが搭載されたノンリニア編集装置でなり、専用のソフトウェアが起動されたＶＦＬ作成モード時、プロキシ編集端末装置８１〜８ｎと同様にシステム制御部５を介してプロキシサーバ６を制御することにより、オペレータにより指定されたクリップの映像を低解像度でディスプレイに表示させる。これによりオペレータは、この映像を目視確認しながら特殊効果処理や音声の音声ミキシング処理の設定を含めた最終的なＶＦＬを作成することができる。
【００２４】
なお編集端末装置９１〜９ｎには、それぞれビデオテープレコーダ１１１〜１１ｎ及びハードディスク装置等のローカルストレージ１２１〜１２ｎが接続されており、かくしてビデオテープ等に記録された映像音声をビデオテープレコーダ１１１〜１１ｎを介してクリップとしてローカルストレージ１２１〜１２ｎに取り込み、これを編集に利用することもできるようになされている。
【００２５】
また編集端末装置９１〜９ｎは、ＶＦＬの作成過程において、オペレータの操作に応じてイーサネット（登録商標）７を介してシステム制御部５にアクセスし、当該システム制御部５を介して素材サーバ３を制御することにより、当該ＶＦＬに基づく編集映像音声の生成時に必要となるであろう高解像度映像音声データＤ１を当該素材サーバ３から予め読み出させる。
【００２６】
この結果この素材サーバ３から読み出された高解像度映像音声データＤ１は、この後ゲートウェイ１３を介して所定フォーマットにフォーマット変換された後、ファイバチャネルスイッチャ１４を介して例えば１８０ギガバイト程度の記憶容量を有する半導体メモリからなる対応するデータＩ／Ｏキャッシュ部１５１〜１５ｎに与えられて記憶保持される。
【００２７】
そして編集端末装置９１〜９ｎは、やがてオペレータによるＶＦＬの作成作業が終了し、この後このＶＦＬの実行命令が入力されると、当該ＶＦＬに従ってデータＩ／Ｏキャッシュ部１５１〜１５ｎから対応する高解像度映像音声データＤ１を順次読み出し、この高解像度映像音声データＤ１に対して必要に応じて特殊効果処理や音声ミキシング処理を施しながら、かくして得られた編集映像音声のデータ（以下、これを編集映像音声データと呼ぶ）Ｄ３を素材サーバ３に送出する。この結果この編集映像音声データＤ３がシステム制御部５の制御のもとに、素材サーバ３にファイル化されて記憶される。
【００２８】
さらにこの素材サーバ３に収録された編集映像音声データＤ３は、この後オペレータ操作により図示しないオンエアーサーバに転送され、この後番組作成者等により作成されたいわゆるプレイリストに従ってオンエアーサーバから読み出されて放送される。
【００２９】
このようにしてこのオンエアーシステム１においては、編集から当該編集により得られた編集映像音声のオンエアーまでの一連の作業を効率良く行い得るようになされている。
【００３０】
（２）編集端末装置９１〜９ｎの構成
ここで編集端末装置９１〜９ｎは、図２に示すように、ＣＰＵ（Ｃｅｎｔｒａｌ  Ｐｒｏｃｅｓｓｉｎｇ  Ｕｎｉｔ）２０と、各種プログラムやパラメータが格納されたＲＯＭ（Ｒｅａｄ  Ｏｎｌｙ  Ｍｅｍｏｒｙ）２１と、ＣＰＵ２０のワークメモリとしてのＲＡＭ（Ｒａｎｄｏｍ  Ａｃｃｅｓｓ  Ｍｅｍｏｒｙ）２２と、各種ソフトウェアが格納されたハードディスク装置２３と、各種映像データ処理機能及び音声データ処理機能を有するデータ処理部２４と、ＣＰＵ２０の制御のもとに、対応するデータＩ／Ｏキャッシュ部１５１〜１５ｎから指定された高解像度映像音声データＤ１を読み出し、当該高解像度映像音声データＤ１に対して指定された映像特殊効果処理や音声ミキシング処理を施す映像特殊効果及び音声ミキシング処理部２５と、各種インターフェース部２６〜２８とがＣＰＵバス２９を介して接続されることにより構成されており、インターフェース部２６を介してイーサネット（登録商標）７に接続されている。
【００３１】
またインターフェース部２７にはマウス３０及びキーボード３１等の入力装置が接続されると共に、インターフェース部２８にはビデオテープレコーダ１１１〜１１ｎ及びローカルストレージ１２１〜１２ｎが接続され、データ処理部２４にはディスプレイ３２及びスピーカ３３が接続されている。
【００３２】
そしてＣＰＵ２０は、ＶＦＬ作成モード時、ハードディスク装置２３内に格納された画面データを必要に応じて読み出し、これをデータ処理部に与えることにより、後述のような各種画面やウインド、ダイアログ等をディスプレイに表示させる。
【００３３】
またＣＰＵ２０は、ＶＦＬ作成モード時、マウス３０やキーボード３１を介して入力された命令に基づき、必要に応じてシステム制御部５（図１）にコマンドを送出することにより、当該システム制御部５を介して素材サーバ３（図１）やプロキシサーバ６（図１）、ＦＣスイッチャ１４（図１）、データＩ／Ｏキャッシュ部１５１〜１５ｎ（図１）等を所望状態に制御する。
【００３４】
さらにＣＰＵ２０は、例えばこの結果としてプロキシサーバ６からイーサネット（登録商標）７を介して転送されるオペレータにより指定されたクリップの低解像度映像音声データＤ２をインターフェース部２６を介して取り込み、これをデータ処理部２４に与えることにより、当該低解像度映像音声データＤ２に基づく映像を、そのときディスプレイ３２に表示されている画面やウインド、ダイアログ内の所定位置に表示させる。
【００３５】
さらにＣＰＵ２０は、必要時には映像特殊効果及び音声ミキシング処理部２５を制御することにより、データＩ／Ｏキャッシュ部１５１〜１５ｎから対応する高解像度映像音声データＤ１を読み出させると共に、当該高解像度映像音声データＤ１に対して必要に応じて特殊効果処理や音声ミキシング処理を実行させ、かくして得られた編集映像音声データＤ３をデータ処理部２４に送出させることにより、当該編集映像音声データＤ３に基づく特殊効果処理された映像をディスプレイ３２に表示させたり、音声ミキシング処理された音声をスピーカ３３から出力させ、かつ必要に応じてこの編集映像音声データＤ３を素材サーバ３に送出させる。
【００３６】
（３）編集端末装置９１〜９ｎにおけるＶＦＬの作成手順
次にこの編集端末装置９１〜９ｎにおけるＶＦＬの作成手順について説明する。
【００３７】
編集端末装置９１〜９ｎのＣＰＵ２０は、ＶＦＬ作成モード時、オペレータの操作に応じて図３に示すようなクリップエクスプローラ（Ｃｌｉｐ  Ｅｘｐｌｏｒｅｒ）ウインド４０と、これと同様の構成を有するサーバサイトエクスプローラ（Ｓｅｒｖｅｒ  Ｓｉｔｅ  Ｅｘｐｌｏｒｅｒ）ウインド４１とをディスプレイ３２（図２）に表示させる。
【００３８】
この場合クリップエクスプローラウインド４０は、その編集端末装置９１〜９ｎに接続されたローカルストレージ１２１〜１２ｎやデータＩ／Ｏキャッシュ部１５１〜１５ｎに格納されているクリップの一覧を表示するためのウインドであり、ツリー表示部５０、クリップ表示部５１及びクリップ一覧表示部５２から構成される。
【００３９】
そしてこのクリップエクスプローラウインド４０のツリー表示部５０には、システム制御部５（図１）が管理しているそのデータＩ／Ｏキャッシュ部１５１〜１５ｎに保持された各クリップについての管理情報と、自己が管理しているそのローカルストレージ１２１〜１２ｎに格納された各クリップについての管理情報とに基づいて、これらクリップがそれぞれどのドライブ、ホルダ、ファイル、ビンに収納されているかといった、クリップの位置情報がツリー形式で表示される。
【００４０】
またクリップエクスプローラウインド４０のクリップ表示部５１には、ツリー表示部５０で選択されたビンに格納されている全てのクリップについて、例えばその先頭フレームのサムネイル画像と、そのクリップの名前とがアイコン形式で一覧表示され、さらにクリップ一覧表示部５２には、クリップ表示部５１に表示された各クリップについて、そのクリップが格納されているドライブ名、そのクリップの名前、収録年月日、映像フォーマット及び素材長などの管理情報がリスト形式で表示される。なお、以下においては、クリップ表示部５１に表示される各クリップに対応したアイコンをクリップアイコン５４と呼ぶものとする。
【００４１】
またサーバサイトエクスプローラウインド４１は、素材サーバ３及びプロキシサーバ６に収録されているクリップの一覧を表示するためのウインドであり、クリップエクスプローラウインド４１と同様にツリー表示部５０、クリップ表示部５１及びクリップ一覧表示部５２から構成される。
【００４２】
そしてこのサーバサイトエクスプローラウインド４１のツリー表示部５０には、システム制御部５（図１）が管理している各クリップの管理情報に基づいて、素材サーバ３及びプロキシサーバ６に収録されている各クリップの位置情報がツリー形式で表示にされ、クップ表示部５１及びクリップ一覧表示部５２には、それぞれこれらクリップについて、クリップエクスプローラウインド４０のクリップ表示部５１及びクリップ一覧表示部５２に表示される内容と同様の内容が表示される。
【００４３】
そしてオペレータは、新規のＶＦＬを作成する場合、クリップエクスローラウインド４０の上部に表示された複数のボタンのうち、新規シーケンス作成ボタン５３をクリックするようにする。この結果、これから作成しようとするＶＦＬに対応付けられたクリップ（以下、これをシーケンスクリップと呼ぶ）がＣＰＵ２０により作成されると共に、クリップエクスローラウインド４０のクリップ表示部５１内にそのシーケンスクリップのクリップアイコン５４が表示される。
【００４４】
またこのときこれと併せて、図４に示すような新規のＶＦＬ作成画面４２がディスプレイ３２に表示される。このＶＦＬ作成画面４２は、クリップの映像を目視確認しながら所望部分をカットとして切り出す操作を行うためのソースビューワ部６０と、このようにして切り出された各カットをどのように並べるか、またその際カットの繋ぎ目においてどのような特殊効果を施すかといった編集内容を設定するためのタイムライン部６１と、タイムライン部６１において設定された編集内容を実際の映像により確認するためのマスタービューワ部６２とから構成されるものである。
【００４５】
そしてオペレータは、サーバサイトエクスプローラウインド４１のクリップ表示部５１に表示された各クリップのアイコン５３の中から所望のクリップのアイコン５３をドラッグアンドドロップによりＶＦＬ作成画面４２のソースビューワ部６０内に移動させることで、そのクリップを編集に利用するクリップとして選択することができ、この操作を繰り返すことにより複数のクリップをまとめて編集に利用するクリップとして選択することができる。
【００４６】
またオペレータは、ＶＦＬ作成画面４２におけるソースビューワ部６０の上側に表示されたクリップ選択メニュー表示ボタン７０をクリックすることにより、上述のようにして選択したクリップの一覧をメニュー表示させることができ、さらにこのメニューの中から所望するクリップをクリックすることにより編集処理対象として選択することができる。なおこのとき選択されたクリップの名前がクリップリストボックス７１内に表示されると共に、この当該クリップの例えば先頭フレームの映像がソースビューワ部６０に表示される。
【００４７】
そしてＶＦＬ作成画面４２では、このようにしてソースビューワ部６０に映像表示されたクリップのプロキシサーバ６（図１）に収録されている低解像度映像音声データＤ２に基づく映像を、ソースビューワ部６０の下側に表示された複数の各種コマンドボタン７２の中から対応するコマンドボタン７２をクリックすることによって、通常再生、コマ送り再生又はコマ戻し再生等させることができる。
【００４８】
実際上、ＣＰＵ２０は、かかる複数のコマンドボタン７２の中から通常再生用、コマ送り再生用又はコマ送り逆再生用等のコマンドボタン７２がクリックされると、これに応じてシステム制御部５を介してプロキシサーバ６を制御することにより、当該クリップにおける対応する映像音声部分の低解像度映像音声データＤ２を出力させる。この結果この低解像度映像音声データＤ２に基づく低解像度の通常再生映像や、コマ送り再生映像又はコマ送り逆再生映像等がソースビューワ部６０に表示されることとなる。
【００４９】
かくしてオペレータは、このソースビューワ部６０に表示されたクリップの再生映像を目視確認しながらコマンドボタン７２のうちのマークインボタン７２ＩＮ又はマークアウトボタン７２ＯＵＴをクリックするようにして、このクリップの映像音声の中からカットとして利用しようとする映像音声部分の開始点（イン点）や終了点（アウト点）を指定することができる。
【００５０】
またこのようにイン点やアウト点を指定した場合、ソースビューワ部６０における表示映像の下側に表示されたポジションバー７３のイン点又はアウト点と対応する位置（すなわち、ポジションバー７３の長さをそのクリップの素材長とした場合におけるイン点又はアウト点と対応する位置）に、それぞれイン点位置を表すマーク（以下、これをイン点マークと呼ぶ）７４ＩＮやアウト点位置を表すマーク（以下、これをアウト点マークと呼ぶ）７４ＯＵＴが表示される。
【００５１】
一方、オペレータは、このようにして指定した各クリップのカットとして利用しようとする映像音声部分を用いて、以下の手順によりＶＦＬを作成することができる。
【００５２】
すなわち、まず上述のようにクリップのうちのカットとして利用しようとする映像音声部分の範囲を決定後、タイムライン部６１内に表示されたプレイライン７５を、当該タイムライン部６１の下部に表示されたタイムスケール７６を指標としてマウス操作により所望位置に移動させ、この後ソースビューワ部６０の下部に表示された各種コマンドボタン７２のうちのオーバーライトボタン７２Ｏ又はスプライスインボタン７２Ｓをクリックするようにする。
【００５３】
この結果、オーバーライトボタン７２Ｏがクリックされたときには上書き、スプライスインボタン７２Ｓがクリックされたときには挿入するようにして、タイムライン部６１のビデオトラック７７Ｖ上に、そのときのプレイライン７５の位置を先頭位置とする当該映像音声部分の素材長に応じた長さの着色領域７８Ｖが表示される。
【００５４】
またこのときその映像音声部分に音声が付随している場合には、ビデオトラック７７Ｖの下側に設けられた複数のオーディオトラック７７Ａ１〜７７Ａ４のうちの該当するチャンネル数分のオーディオトラック７７Ａ１〜７７Ａ４上に、それぞれそのときのプレイライン７５の位置を先頭位置とするビデオトラック７７Ｖの対応する着色領域７８Ｖと同じ長さの着色領域７８Ａ１〜７８Ａ４が表示される。
【００５５】
因みに、このときＣＰＵ２０は、かかるオペレータの操作に応じたコマンドをシステム制御部５に通知する。この結果、システム制御部５の制御のもとに、素材サーバ３（図１）から対応するクリップにおける当該映像音声部分の高解像度映像音声データＤ１がイン点側及びアウト点側にそれぞれ数秒程度の余裕をもたせて読み出され、これがゲートウェイ１３（図１）、ＦＣスイッチャ１４（図１）を介してその編集端末装置９１〜９ｎ用のデータＩ／Ｏキャッシュ部１５１〜１５ｎに与えられて記憶される。
【００５６】
さらに編集映像音声の再生時に映像音声部分の映像に付随する音声以外の音声を出力させたいときには、クリップ選択メニュー表示ボタン７０をクリックし、このとき表示されたクリップの一覧の中から予め登録しておいたその音声のクリップを選択した後、タイムライン部６１のプレイライン７５を所望する位置に移動させ、この後所望するオーディオトラック７７Ａ１〜７７Ａ４を指定した上で上述のオーバーライトボタン７２Ｏ又はスプライスインボタン７２Ｓをクリックするようにする。
【００５７】
そしてこの場合にも、その指定されたオーディオトラック７７Ａ１〜７７Ａ４上にそのときのプレイライン７５の位置を先頭位置とする当該クリップの素材長に対応する長さの着色領域７８Ａ１〜７８Ａ４が表示されると共に、このクリップが素材サーバ３に収録されている場合には、その音声データが素材サーバ３から読み出されてデータＩ／Ｏキャッシュ部１５１〜１５ｎに記憶されることとなる。
【００５８】
そしてオペレータは、所望する各クリップについて、上述のような映像音声部分の選択（カットの切り出し）と、当該映像音声部分のタイムライン部６１への貼り付け（ビデオトラック７７Ｖ及び対応するオーディオトラック７８Ａ１〜７８Ａ４に着色領域７８Ｖ、７８Ａ１〜７８Ａ４を表示させること）という操作を繰り返し行い、タイムスケール７６の始め（「００：００．００：００」）から所望する時間分だけ当該タイムスケール７６上において連続するように、ビデオトラック７７Ｖと、オーディオトラック７７Ａ１〜７７Ａ４上にそれぞれ着色領域７８Ｖ、７８Ａ１〜７８Ａ４を順次表示させるようにする。
【００５９】
ここでこのようにタイムライン部６１のビデオトラック７７Ｖ上やオーディオトラック７７Ａ１〜７７Ａ４上に着色領域７８Ｖ、７８Ａ１〜７８Ａ４が表示されることは、編集映像音声の再生時にタイムスケール７６で表された時間にその着色領域７８Ｖ、７８Ａ１〜７８Ａ４と対応するカット内の対応する箇所の映像が表示され、又は音声が出力されることを意味する。従って、このような作業により編集映像音声として表示又は出力される映像音声の順番及び内容を規定したＶＦＬを作成することができる。
【００６０】
因みに、タイムライン部６１に表示させるビデオトラック７７Ｖやオーディオトラック７７Ａ１〜７７Ａ４の本数は自由に設定することができる。そして複数本のビデオトラック７７Ｖやオーディオトラック７７Ａ１〜７７Ａ４が表示された状態において、これらビデオトラック７７Ｖ又はオーディオトラック７７Ａ１〜７７Ａ４にそれぞれカットやクリップが貼り付けられている場合には、各ビデオトラック７７Ｖにおけるタイムスケール７６上で同じ位置の各映像を重ね合わせた映像が編集映像として得られ、各オーディオトラック７７Ａ１〜７７Ａ４におけるタイムスケール７６上で同じ位置の各音声を重ね合わせた音声が編集音声として得られることとなる。
【００６１】
さらにこのようにしてＶＦＬを作成する際、例えば連続する第１のカットの映像から第２のカットの映像への切り換わり時に特殊効果処理を施したいときには、以下の手順により所望する映像特殊効果処理の設定を行うことができる。
【００６２】
すなわち、まず先行する第１のカットと、第２のカットとをポジションバー９６上で連続するようにビデオトラック７７Ｖに貼り付け、この後タイムライン部６１の上部に表示された各種ボタン８０の中からＦＸエクスプローラボタン８０ＦＸをクリックする。これにより、例えば図７に示すように、この編集端末装置９１〜９ｎが実行できる各種映像特殊効果がツリー形式でツリー表示部８２に表示され、これら映像特殊効果の内容がアイコン形式でアイコン表示部８３に表示されたウインド（以下、これをＦＸエクスプローラウインドと呼ぶ）８１を表示させることができる。
【００６３】
続いて、このＦＸエクスプローラウインド８１のアイコン表示部８３内に表示されたアイコン（以下、これを特殊効果アイコンと呼ぶ）８４の中から所望する映像特殊効果処理の特殊効果アイコン８４をドラッグアンドドロップにより、ＶＦＬ作成画面４２のビデオトラック７７Ｖにおける上述の第１及び第２のカットの切り替わり箇所に貼り付ける。
【００６４】
これにより編集映像の生成時において、第１のカットの映像から第２のカットの映像に切り替わる際に上述のようにして貼り付けられた特殊効果アイコンに対応する映像特殊効果処理が実行されることとなる。
【００６５】
またＶＦＬを作成する際、いずれかのオーディオトラック７７Ａ１〜７７Ａ４に貼り付けられたカットやクリップの音声に対して音声ミキシング処理を施したい場合には、以下の手順により所望の音声ミキシング処理を設定することができる。
【００６６】
すなわち、まずＶＦＬ作成画面４２のタイムライン部６１に表示されたプレイライン７５を、オーディオトラック７７Ａ１〜７７Ａ４に貼り付けられたカットやクリップのうちの音声ミキシング処理したいカット又はクリップと対応する着色領域７８Ａ１〜７８Ａ４上に移動させた後、当該タイムライン部６１の上部に表示された複数のボタンの中からオーディオミキサーボタン８０ＭＩＸをクリックする。
【００６７】
この結果、図８に示すようなＶＦＬ作成画面４２のタイムライン部６１の各オーディオトラック７７Ａ１〜７７Ａ４にそれぞれ対応させてボリューム９１やレベルメータ９２及び各種設定ボタン９３Ａ〜９３Ｆ等が設けられたオーディオミキサーウインド９０が表示される。
【００６８】
そしてこの後、このオーディオミキサーウインド９０内に表示された、ＶＦＬ作成画面４２のタイムライン部６１の所望するオーディオトラック７７Ａ１〜７７Ａ４と対応付けられたボリューム９１や設定ボタン９３Ａ〜９３Ｆ等をレベルメータ９２を目視確認しながら操作する。
【００６９】
これにより編集音声の出力時において、そのオーディオトラック７７Ａ１〜７７Ａ４に貼り付けられたカット又はクリップの再生時に上述のようにして設定された内容で当該カット又はクリップの音声データが音声ミキシング処理されることとなる。
【００７０】
さらにＶＦＬ作成画面４２では、上述のようにしてＶＦＬを作成し終えた後又はＶＦＬの作成中に、タイムライン部６１内のプレイライン７５をマウス操作により所望位置に移動させ、この後マスタービューワ部６２の下側に表示された複数のコマンドボタン９０の中からプレビューボタン９０ＰＶをクリックすることにより、そのときのプレイライン７５の位置と対応する映像音声部分を開始点として、高解像度の編集映像をマスタービューワ部６２内に通常再生表示させることができる。
【００７１】
実際上、ＣＰＵ２０は、かかるプレビューボタン９０ＰＶがクリックされると、映像特殊効果及び音声ミキシング処理部２５（図２）を制御することにより、このときデータＩ／Ｏキャッシュ部１５１〜１５ｎが記憶保持している対応する映像音声部分の高解像度映像音声データＤ１を読み出させ、当該高解像度映像音声データＤ１に対して必要に応じて映像特殊効果処理や音声ミキシング処理を施させる。
【００７２】
この結果、かかる映像特殊効果処理や音声ミキシング処理によって得られた高解像度の編集映像音声データが生成され、これがデータ処理部２４に与えられることにより、当該編集映像音声データに基づく編集映像がＶＦＬ作成画面４２のマスタービューワ部６２内に再生表示されると共に、編集音声がスピーカ３３から出力される。
【００７３】
これによりオペレータは、このＶＦＬ作成画面４２のマスタービューワ部６２内に表示された編集映像に基づいて随時編集内容を目視確認（プレビュー）しながらＶＦＬを作成し、又は作成し終えたＶＦＬの内容を確認することができる。
【００７４】
そしてこのようにしてＶＦＬを作成後、クリップエクスプローラウインド４０（図３）のクリップ表示部５１内に表示されたこのＶＦＬのシーケンスクリップのクリップアイコン５４をドラッグアンドドロップによりサーバサイトエクスプローラウインド４１（図３）のクリップ表示部５１内に移動させることにより、このＶＦＬに基づく編集結果を素材サーバ３（図１）に登録することができる。
【００７５】
（４）タイムライン再生モード処理
上述のＶＦＬ作成モード時に、編集端末装置９１〜９ｎのＣＰＵ２０は、図９に示すタイムライン再生モード処理ＲＴ１をステップＳＰ０から開始することにより、映像品質と編集時間との調和を図りながら効率よく編集作業を行うことができる。
【００７６】
続くステップＳＰ１において、ＣＰＵ２０は、オペレータの操作に応じて、ＶＦＬ作成画面４２（図４）のタイムライン部６１にクリップが貼り付けられるのを待ち、肯定結果が得られたときのみ、ステップＳＰ２に進んで、素材サーバ３（図１）からデータＩ／Ｏキャッシュ部１５１〜１５ｎに当該クリップに対応する高解像度映像音声データＤ１を転送させる。
【００７７】
次いでＣＰＵ２０は、ステップＳＰ３に進んで、タイムライン再生モードを設定する。このタイムライン再生モードでは、オペレータの選択に応じて、指定されたクリップが、素材サーバ３（図１）から転送されたデータＩ／Ｏキャッシュ部１５１〜１５ｎに収録されている高解像度映像音声データＤ１に基づくものか、プロキシサーバ６（図１）に収録されている低解像度映像音声データＤ２に基づくものかを任意に選択できる再生モードである。
【００７８】
そしてＣＰＵ２０は、ステップＳＰ４に進んで、オペレータからタイムライン再生指示、すなわち指定したクリップの映像再生の指示があるのを待ち、肯定結果が得られたときのみ、ステップＳＰ５に進む。
【００７９】
このステップＳＰ５において、現在のタイムライン再生モードが低解像度映像音声データＤ２での再生モード（以下、これを低解像度再生モードと呼ぶ）か否かを判断し、肯定結果が得られた場合には、ステップＳＰ６に進んで、指定されたクリップに対応する低解像度映像音声データＤ２をプロキシサーバ６（図１）から読み出して再生した後、そのままステップＳＰ７に進んで当該処理手順を終了する。
【００８０】
これに対してステップＳＰ５において否定結果が得られた場合には、現在のタイムライン再生モードが高解像度映像音声データＤ１での再生モード（以下、これを高解像度再生モードと呼ぶ）であることを表しており、このときＣＰＵ２０は、ステップＳＰ８に進んで、指定されたクリップに対応する高解像度映像音声データＤ１をデータＩ／Ｏキャッシュ部１５１〜１５ｎから読み出して再生した後、そのままステップＳＰ７に進んで当該処理手順を終了する。
【００８１】
（５）本実施の形態による動作及び効果
以上の構成において、オンエアーシステム１内の編集端末装置９１〜９ｎでは、ＶＦＬ作成モード時に、オペレータの操作に応じて、ＶＦＬ作成画面４２のタイムライン部６１にクリップが貼り付けられると、素材サーバ３からデータＩ／Ｏキャッシュ部１５１〜１５ｎに当該クリップに対応する高解像度映像音声データＤ１を転送させる。
【００８２】
そして編集端末装置９１〜９ｎは、タイムライン再生モードを設定して、オペレータの選択に応じた低解像度再生モード又は高解像度再生モードで、指定されたクリップの映像音声を再生させる。
【００８３】
従って、オペレータが低解像度再生モードを選択したときは、クリップの長さが例えば約１０分以上のものであって、その中央部分の映像を単に目視確認する場合や、クリップの映像音声素材を単にカット編集する場合には、瞬時に低解像度映像音声データＤ２がプロキシサーバ６から読み出されるため、高解像度再生モードの場合よりも格段と短時間で編集作業を行うことができる。
【００８４】
一方、オペレータが高解像度再生モードを選択したときは、データ量が多い分だけデータＩ／Ｏキャッシュ部１５１〜１５ｎからの転送時間がかかるものの、映像加工に必要な解像度が確保されているため、指定したクリップに対して種々の特殊効果処理を施すことができる。
【００８５】
以上の構成によれば、オンエアーシステム１内の編集端末装置９１〜９ｎにおいて、ＶＦＬ作成モード時に、オペレータの操作に応じて、低解像度再生モード又は高解像度再生モードのタイムライン再生モードを選択的に設定するようにしたことにより、低解像度再生モードのときには、クリップの全体等を目視確認する場合や単にカット編集する場合等には、瞬時に低解像度映像音声データＤ２がプロキシサーバ６から読み出すことができる分、編集作業にかかる時間を短縮することができる一方、高解像度再生モードのときには、映像加工に必要な解像度が確保されているため、指定したクリップに対して種々の特殊効果処理を施すことができ、かくしてオペレータの選択により映像品質と編集時間との調和を図りながら効率よく編集作業を行うことができる。
【００８６】
（６）他の実施の形態
なお上述のように本実施の形態においては、編集内容を規定した編集リストに従って編集処理を実行する編集装置として、図１に示すオンエアーシステム１内の編集端末装置９１〜９ｎを適用した場合について述べたが、本発明はこれに限らず、この他種々の構成からなる編集装置に広く適用することができる。
【００８７】
また上述のように本実施の形態においては、編集内容を形成する被編集素材（クリップ）を表す映像データを、高解像度及び低解像度の画像フォーマットでそれぞれ保持する第１及び第２のデータ保持手段として、それぞれデータＩ／Ｏキャッシュ部１５１〜１５ｎ及びプロキシサーバ６を適用した場合について述べたが、本発明はこれに限らず、この他種々の構成からなる第１及び第２のデータ保持手段に広く適用することができる。
【００８８】
さらに上述のように本実施の形態においては、編集素材を表す映像データを、外部操作に応じて、高解像度又は低解像度の画像フォーマットのいずれかに選択する選択手段として、編集端末装置９１〜９ｎのマウス３０やキーボード３１をＣＰＵ２０の制御下で適用した場合について述べたが、本発明はこれに限らず、この他種々の構成からなる選択手段に広く適用することができる。また、高解像度又は低解像度の画像フォーマットの選択をオペレータの指示ではなく被編集素材の内容（クリップの時間長や、クリップの両端又は中央の別）に応じて自動的に選択するようにしても良い。
【００８９】
さらに上述のように本実施の形態においては、編集リストの作成時に被編集素材が指定されたとき、選択手段により選択された高解像度又は低解像度の画像フォーマットで映像データを再生させる再生手段として、編集端末装置９１〜９ｎのＣＰＵ２０及びデータ処理部２４を適用した場合について述べたが、本発明はこれに限らず、この他種々の構成からなる再生手段に広く適用することができる。
【００９０】
【発明の効果】
上述のように本発明によれば、編集内容を規定した編集リストに従って編集処理を実行する編集装置において、編集内容を形成する被編集素材を表す映像データを、高解像度及び低解像度の画像フォーマットでそれぞれ保持する第１及び第２のデータ保持手段と、編集素材を表す映像データを、外部操作に応じて、高解像度又は低解像度の画像フォーマットのいずれかに選択する選択手段と、編集リストの作成時に被編集素材が指定されたとき、選択手段により選択された高解像度又は低解像度の画像フォーマットで映像データを再生させる再生手段とを設けるようにしたことにより、オペレータの選択により映像品質と編集時間との調和を図りながら効率よく編集作業を行うことができ、かくして編集効率を格段と向上し得る編集装置を実現できる。
【００９１】
また本発明によれば、編集内容を規定した編集リストに従って編集処理を実行する編集方法において、編集内容を形成する被編集素材を表す映像データを、高解像度及び低解像度の画像フォーマットでそれぞれ保持する第１のステップと、編集素材を表す映像データを、外部操作に応じて、高解像度又は低解像度の画像フォーマットのいずれかに選択する第２のステップと、編集リストの作成時に被編集素材が指定されたとき、選択された高解像度又は低解像度の画像フォーマットで映像データを再生させる第３のステップとを設けるようにした。オペレータの選択により映像品質と編集時間との調和を図りながら効率よく編集作業を行うことができ、かくして編集効率を格段と向上し得る編集方法を実現できる。
【図面の簡単な説明】
【図１】本実施の形態におけるオンエアーシステムの全体構成を示すブロック図である。
【図２】図１に示す編集端末装置の構成を示すブロック図である。
【図３】クリップエクスプローラウインドの説明に供する略線的な平面図である。
【図４】ＶＦＬ作成画面の説明に供する略線的な平面図である。
【図５】ＶＦＬ作成画面の説明に供する略線的な平面図である。
【図６】ＶＦＬ作成画面の説明に供する略線的な平面図である。
【図７】ＦＸエクスプローラウインドの説明に供する略線的な平面図である。
【図８】オーディオエクスプローラウインドの説明に供する略線的な平面図である。
【図９】タイムライン再生モード処理手順の説明に供するフローチャートである。
【符号の説明】
１……オンエアーシステム、２……ルータ、３……素材サーバ、４……ダウンコンバータ、５……システム制御部、６……プロキシサーバ、８１〜８ｎ……プロキシ編集端末装置、９１〜９ｎ……編集端末装置、１２１〜１２ｎ……ローカルストレージ、１５１〜１５ｎ……データＩ／Ｏキャッシュ部、ＲＴ１……タイムライン再生モード処理手順。
【図１】
2005006231.tif 000003
【図２】
2005006231.tif 000004
【図３】
2005006231.tif 000005
【図４】
2005006231.tif 000006
【図５】
2005006231.tif 000007
【図６】
2005006231.tif 000008
【図７】
2005006231.tif 000009
【図８】
2005006231.tif 000010
【図９】
2005006231.tif 000011